(57)【要約】 【課題】組立性の向上を図ることができる電子機器を提供する。【解決手段】実施形態によれば、電子機器は、モジュールと、筐体と、板金と、ケーブルとを備える。前記筐体は、前記モジュールに面した第１部材と、該第１部材が係合する係合部を有して前記第１部材とは反対側から前記モジュールに面した第２部材とを備える。前記板金は、前記モジュールから離れた位置で前記筐体の厚さ方向に延びた部分を有するとともに、前記筐体内に延びている。前記ケーブルは、前記モジュールと前記板金の前記部分との間に通され、前記係合部から前記板金の前記部分よりも遠くに位置する。【選択図】図１１
2012168985.tif 000002
【特許請求の範囲】
【請求項１】
モジュールと、
前記モジュールに面した第１部材と、該第１部材が係合する係合部を有して前記第１部材とは反対側から前記モジュールに面した第２部材とを備えた筐体と、
前記筐体に取り付けられたヒンジ部と、
前記モジュールから離れた位置で前記筐体の厚さ方向に延びた第１部分を有し、前記ヒンジ部に連結されて前記筐体内に延びた板金と、
前記モジュールと前記第１部分との間に通され、前記係合部から前記第１部分よりも遠くに位置し、前記第１部分によって前記係合部方向への移動が抑制されるケーブルと、
を備えた電子機器。
【請求項２】
請求項１の記載において、
前記板金は、前記モジュールと前記第１部分との間の位置で前記筐体に固定された第２部分を有した電子機器。
【請求項３】
請求項２の記載において、
前記ケーブルの少なくとも一部は、前記筐体の厚さ方向で、前記第２部分に重なる電子機器。
【請求項４】
請求項２または請求項３の記載において、
前記第２部分は、前記第２部材に固定され、
前記ケーブルの少なくとも一部は、前記第２部分と前記第１部材との間を通る電子機器。
【請求項５】
請求項１または請求項４の記載において、
前記係合部は、第１のフックであり、
前記マスクは、前記第１のフックに掛かる第２のフックを有した電子機器。
【請求項６】
請求項５の記載において、
前記第２フックは、前記第１部分と、前記第１フックとの間に位置した電子機器。
【請求項７】
請求項１または請求項６の記載において、
前記第１部分は、前記ケーブルに接して前記ケーブルを前記係合部とは反対側に向いて押す押圧部を有した電子機器。
【請求項８】
請求項７の記載において、
前記押圧部は、前記係合部に対応した位置に設けられ、前記板金の一部が前記係合部から離れる向きに屈曲されることで設けられた電子機器。
【請求項９】
請求項７または請求項８の記載において、
前記ケーブルと前記モジュールとの間に設けられた受け部を備え、
前記押圧部は、前記ケーブルが前記受け部に押し付けられるように前記ケーブルに向いて突出して前記ケーブルを押圧する電子機器。
【請求項１０】
モジュールと、
前記モジュールに面した第１部材と、該第１部材が係合する係合部を有して前記第１部材とは反対側から前記モジュールに面した第２部材とを備えた筐体と、
前記モジュールから離れた位置で前記筐体の厚さ方向に延びた部分を有するとともに、前記筐体内に延びた板金と、
前記モジュールと前記板金の前記部分との間に通され、前記係合部から前記板金の前記部分よりも遠くに位置したケーブルと、
を備えた電子機器。
【発明の詳細な説明】
【技術分野】
【０００１】
本発明の実施形態は、電子機器に関する。
【背景技術】
【０００２】
本体部と表示部とがヒンジ部で連結された電子機器がある。このような電子機器の筐体には、ヒンジ部に連結された板金が設けられることがある。
【先行技術文献】
【特許文献】
【０００３】
【特許文献１】特開２００８−８３９８２号公報
【発明の概要】
【発明が解決しようとする課題】
【０００４】
電子機器は、さらなる組立性の向上が要望されている。
【０００５】
本発明の目的は、組立性の向上を図ることができる電子機器を提供することである。
【課題を解決するための手段】
【０００６】
実施形態によれば、電子機器は、モジュールと、筐体と、板金と、ケーブルとを備える。前記筐体は、前記モジュールに面した第１部材と、該第１部材が係合する係合部を有して前記第１部材とは反対側から前記モジュールに面した第２部材とを備える。前記板金は、前記モジュールから離れた位置で前記筐体の厚さ方向に延びた部分を有するとともに、前記筐体内に延びている。前記ケーブルは、前記モジュールと前記板金の前記部分との間に通され、前記係合部から前記板金の前記部分よりも遠くに位置する。
【図面の簡単な説明】
【０００７】
【図１】一つの実施形態に係る電子機器の平面図。
【図２】図１中に示された電子機器の表示部内部を示す平面図。
【図３】図１中に示された電子機器の表示部内部の一部を拡大して示す平面図。
【図４】図３中に示されたサポート板金の斜視図。
【図５】図３中に示された表示部内部のＦ５−Ｆ５線に沿う断面図。
【図６】図３中に示された表示部内部のＦ６線で囲まれた領域を示す平面図。
【図７】図３中に示された表示部内部のＦ７線で囲まれた領域を示す平面図。
【図８】図３中に示された表示部内部にケーブルを取り付けた状態を示す平面図。
【図９】図３中に示された表示部内部のＦ９線で囲まれた領域を示す斜視図。
【図１０】図９中に示された表示部内部にケーブルを取り付けた状態を示す斜視図。
【図１１】図８中に示された表示部内部のＦ１１−Ｆ１１線に沿う断面図。
【図１２】図８中に示された表示部内部のＦ１２−Ｆ１２線に沿う断面図。
【図１３】図８中に示された表示部内部のＦ１３−Ｆ１３線に沿う断面図。
【図１４】一つの実施形態に係る電子機器の第１の変形例を示す断面図。
【図１５】一つの実施形態に係る電子機器の第２の変形例を示す断面図。
【図１６】一つの実施形態に係る電子機器の第３の変形例を示す断面図。
【図１７】一つの実施形態に係る電子機器の第４の変形例を示す断面図。
【図１８】一つの実施形態に係る電子機器の第５の変形例を示す断面図。
【図１９】図１中に示された電子機器に関連する構造を示す断面図。
【発明を実施するための形態】
【０００８】
以下、実施の形態について、図面を参照して説明する。  
図１乃至図１３は、一つの実施形態に係る電子機器１を開示している。電子機器１は、例えばノートブック型ポータブルコンピュータ（ノートＰＣ）である。なお本実施形態が適用可能な電子機器は、上記に限定されるものではない。本実施形態は、例えば携帯電話やスマートフォン、電子書籍端末、ＰＤＡ(Personal Digital Assistant)、ゲーム機などを含む種々の電子機器に広く適用可能である。
【０００９】
図１に示すように、電子機器１は、本体部２（第１のユニット）と、表示部３（第２のユニット）と、ヒンジ部４ａ，４ｂとを有する。本体部２は、メインボードを搭載した電子機器本体である。本体部２は、第１の筐体５を備えている。第１の筐体５は、上壁６、下壁（図示しない）、及び周壁８を有し、扁平な箱状に形成されている。
【００１０】
下壁は、電子機器１を机の上に置いた時に、その机上面に向かい合う。上壁６は、下壁との間に空間を空けて、下壁と略平行に広がる。周壁８は、下壁に対して起立し、下壁の周縁部と上壁６の周縁部との間を繋いでいる。上壁６には、キーボード９が取り付けられている。
【００１１】
第１の筐体５は、後端部１１（第１の端部）と、前端部１２（第２の端部）とを有する。後端部１１には、ヒンジ部４ａ，４ｂを介して表示部３が連結されている。前端部１２は、後端部１１とは反対側に位置される。
【００１２】
図１に示すように、表示部３は、第２の筐体１４と、この第２の筐体１４に収容された表示装置１５とを備えている。表示装置１５は、「モジュール」の一例である。なお「モジュール」は、上記例に限定されるものではなく、電子機器に収容される種々のモジュールが適宜該当する。表示装置１５は、例えば液晶ディスプレイであるが、これに限定されるものではない。表示装置１５は、画像や映像が表示される表示画面１５ａを有する。
【００１３】
第２の筐体１４は、ヒンジ部４ａ，４ｂによって、第１の筐体５の後端部１１に回動可能（開閉可能）に連結されている。これにより表示部３は、本体部２に重ねられる第１の位置と、本体部２に対して立て起される第２の位置との間で回動可能である。
【００１４】
第２の筐体１４は、前壁１６、背壁１７、及び周壁１８を有する。前壁１６は、表示部３が上記第１位置にあるとき、本体部２に向かい合う。前壁１６は、表示装置１５の表示画面１５ａが露出される開口部１６ａを有する。換言すれば、第２の筐体１４は、表示画面１５ａが第１の筐体５に覆われる第１位置と、表示画面１５ａが露出される第２位置との間で回動可能である。
【００１５】
背壁１７は、前壁１６との間に空間を空けて、前壁１６と略平行に広がる。背壁１７は、前壁１６とは反対側から表示装置１５に対向する。周壁１８は、背壁１７に対して起立し、前壁１６の周縁部と背壁１７の周縁部との間を繋いでいる。
【００１６】
第２の筐体１４は、カバー２１と、マスク２２とを有する（図１３参照）。マスク２２は、前壁１６を有する。カバー２１は、背壁１７及び周壁１８を有する。マスク２２は、「第１の部材」の一例であり、表示装置１５に対向している。カバー２１は、「第２の部材」の一例であり、マスク２２とは反対側から表示装置１５に対向している。マスク２２がカバー２１に組み合わされることで、第２の筐体１４が構成されている。カバー２１及びマスク２２は、例えばプラスチック製である。
【００１７】
図３及び図１３に示すように、カバー２１の端部には、係合部２３が設けられている。係合部２３は、マスク２２の係合部２２ａに係合する。マスク２２の係合部２２ａは、例えばフックである。カバー２１の係合部２３は、例えばフックを受ける爪部（嵌合爪）である。
【００１８】
背壁１７は、「第１の壁部」の一例である。周壁１８は、「第２の壁部」の一例であるとともに、背壁１７に対して起立した「立壁」の一例である。周壁１８は、背壁１７の縁部から曲がって延びている。背壁１７及び周壁１８は、例えば曲面状に連続しており、明確な境界はない。言い換えると、カバー２１は、背壁１７と周壁１８とが合わされたひとつの壁部２４を有する。周壁１８の先端部は、マスク２２に当接する。
【００１９】
ヒンジ部４ａ，４ｂは、第１の筐体５及び第２の筐体１４に取り付けられている（図８参照）。ヒンジ部４ａ，４ｂは、それぞれヒンジ軸２６と、第１及び第２のブラケット２７，２８とを有する。第１のブラケット２７は、本体部固定板金であり、ヒンジ軸２６に回動可能に連結されるとともに、第１の筐体５に固定されている。第２のブラケット２８は、表示部固定板金であり、ヒンジ軸２６に固定されるとともに、第２の筐体１４に固定されている。
【００２０】
次に、サポート板金３１について詳しく説明する。  
図２に示すように、第２の筐体１４（以下、単に筐体１４と称する）の左端部と右端部には、それぞれサポート板金３１が取り付けられている。サポート板金３１は、「板金」の一例であり、「部材」の一例であり、「支持部材」の一例である。サポート板金３１は、筐体１４内に収容されている。
【００２１】
サポート板金３１は、ヒンジ部４ａ，４ｂに連結されるとともに、ヒンジ部４ａ，４ｂから筐体１４内に延び、筐体１４の短手方向の略全幅に亘っている。なお左右のサポート板金３１の構成及び機能は略同じであるので、右側のサポート板金３１を代表して詳しく説明する。
【００２２】
図３及び図４に示すように、サポート板金３１は、基部３２、起立部３３、取付部３４、及びケンジントンロック部３５を有する。基部３２は、板状に形成されており、ヒンジ部４ａ，４ｂの第２のブラケット２８に重ねられている。基部３２は、ねじ３６が挿入される複数の孔３２ａを有する。基部３２は、ねじ３６でヒンジ部４ａ，４ｂの第２のブラケット２８と筐体１４に共締め固定される。
【００２３】
ケンジントンロック部３５は、基部３２に連続して設けられ、基部３２の端部から起立している。ケンジントンロック部３５は、ケンジントンロックが取り付けられる取付孔３５ａを有する。図示しないが、ヒンジ部４ａの第２のブラケット２８にもケンジントンロックが取り付けられる取付孔が設けられている。サポート板金３１の取付孔３５ａと、第２のブラケット２８の取付孔とは、互いに略同じ形状を有し、互いに連通している。
【００２４】
すなわち、ケンジントンロックは、サポート板金３１の取付孔３５ａ及び第２のブラケット２８の取付孔に挿入される。ケンジントンロックは、サポート板金３１と第２のブラケット２８とによって受けられる。
【００２５】
図３及び図４に示すように、起立部３３は、背壁１７に対して略垂直に起立している。起立部３３は、サポート板金３１の略全長に亘り、筐体１４の短手方向の略全長に亘って延びている。起立部３３は、背壁１７に向かい合う第１の端部３３ａと、この第１の端部３３ａとは反対側に位置された第２の端部３３ｂとを有する。
【００２６】
取付部３４は、起立部３３の第１の端部３３ａから張り出している。取付部３４は、板状に形成され、背壁１７と略平行に延びている。取付部３４は、背壁１７の上に載せられ、背壁１７に接している。換言すれば、サポート板金３１は、取付部３４と、この取付部３４から背壁１７とは反対側に起立した起立部３３とを有する。取付部３４には、孔３４ａが設けられている。
【００２７】
図５及び図１１に示すように、背壁１７は、この背壁１７の上に載せられたサポート板金３１の取付部３４を支持している。背壁１７には、当該背壁１７からサポート板金３１の少なくとも一部よりも大きく突出した支持部４１が設けられている。支持部４１は、背壁１７から例えばサポート板金３１の取付部３４を超えて突出している。
【００２８】
支持部４１は、取付部３４の孔３４ａに対応した位置に設けられている。支持部４１は、背壁１７から突出した突起部である。図６及び図１１に示すように支持部４１は、サポート板金３１の取付部３４の孔３４ａに挿入されるとともに、例えば加熱押圧されることで先端部がつぶされている。すなわち、支持部４１は、サポート板金３１に溶着固定されている。なお図２、図３、図９では、先端部がつぶされる前の状態の支持部４１を示している。
【００２９】
図６及び図１１に示すように、支持部４１は、背壁１７から突出し、サポート板金３１の取付部３４の孔３４ａに挿入された突出部４２と、突出部４２の先端部で外径が大きくなり、サポート板金３１の上に広がる押さえ部４３（抜止部）とを有する。押さえ部４３は、サポート板金３１に当接し、背壁１７とは反対側からサポート板金３１を支持する。サポート板金３１は、背壁１７と支持部４１とによって両面から支持されることで、筐体１４に固定されている。
【００３０】
換言すると、サポート板金３１の少なくとも一部は、支持部４１の一部よりも背壁１７の近くに位置される。具体的な一例として、サポート板金３１の取付部３４は、支持部４１の先端部（押さえ部４３）よりも背壁１７の近くに位置される。サポート板金３１の取付部３４は、背壁１７と支持部４１の押さえ部４３との間に位置され、背壁１７と支持部４１の押さえ部４３とによって両面から支持されている。
【００３１】
図５及び図１１に示すように、支持部４１は、背壁１７からの高さが起立部３３よりも低い。このため、支持部４１とマスク２２との間には、例えばケーブルなど他の部品を実装することができる空間が存在する。
【００３２】
図３に示すように、サポート板金３１は、表示装置１５の側方を含む複数の固定部４５で筐体１４に固定されている。各固定部４５は、上述した背壁１７と支持部４１とで設けられている。
【００３３】
図５に示すように、カバー２１は、第１の端部２１ａと、第２の端部２１ｂとを有する。第１の端部２１ａは、ヒンジ部４ａ，４ｂに連結された端部である。第２の端部２１ｂは、ヒンジ部４ａ，４ｂとは反対側に位置された端部である。カバー２１は、第２の端部２１ｂに曲面部４６を有する。曲面部４６では、背壁１７が筐体１４の内側に向く曲面状に形成され、筐体１４が薄くなっている。サポート板金３１は、曲面部４６まで延び、曲面部４６でも上記固定部４５によって固定されている。すなわちサポート板金３１は、背壁１７と支持部４１とによって曲面部４６に固定されている。
【００３４】
サポート板金３１が筐体１４に固定されることで、筐体１４の強度向上を図ることができるとともに、ヒンジ部４ａ，４ｂへの応力集中が抑制される。サポート板金３１が設けられることで、表示部３の回転方向の応力に対してヒンジ部４ａ，４ｂの強度向上を図ることができる。
【００３５】
図６に示すように、サポート板金３１と筐体１４の内面との間には、導電性のガスケット４８が介在されている。これにより、サポート板金３１は、筐体１４の内面に設けられたグランド部４９に電気的に接続されている。サポート板金３１は、ヒンジ部４ａ，４ｂに面で接触している。サポート板金３１は、ヒンジ部４ａ，４ｂを介して本体部２に電気的に接続されている。これにより、筐体１４の内面のグランド部４９は、サポート板金３１を介して本体部２にアースされている。なおグランド部４９は、例えば筐体１４の内面に設けられた金属箔や、筐体１４の内面のメッキや導電塗装などでもよく、特に種類は問われない。
【００３６】
図３及び図１３に示すように、カバー２１は、マスク２２に係合する係合部２３を有する。係合部２３は、カバー２１の端部に設けられ、例えば周壁１８に設けられている。図３、図６、図７、図１２、図１３に示すように、サポート板金３１は、表示装置１５から離れ、表示装置１５とは独立して筐体１４に固定されている。サポート板金３１は、表示装置１５と係合部２３との間の位置で筐体１４に固定されている。言い換えると、サポート板金３１は、表示装置１５と周壁１８との間の位置で筐体１４に固定されている。
【００３７】
図８に示すように、筐体１４には、カメラモジュール（図示しない）及びアンテナ５０と、これらに接続されたケーブル５１が設けられている。ケーブル５１は、表示装置１５の側面１５ｂに沿って引き回され、ヒンジ部４ａ，４ｂを介して本体部２に延びている。
【００３８】
ケーブル５１は、表示装置１５とサポート板金３１との間に通されている。ケーブル５１は、係合部２３からサポート板金３１よりも遠くに配置されている。すなわち、ケーブル５１と係合部２３との間にサポート板金３１が設けられ、ケーブル５１が係合部２３に近付かないようにケーブル５１の動きがサポート板金３１によって規制されている。
【００３９】
図１１に示すように、ケーブル５１は、筐体１４の厚さ方向において、サポート板金３１の取付部３４及びカバー２１の支持部４１に重なっている。起立部３３は、取付部３４に繋がる第１の端部３３ａと、この第１の端部３３ａとは反対側に位置された第２の端部３３ｂとを有する。ケーブル５１の少なくとも一部は、起立部３３の第２の端部３３ｂよりも、背壁１７の近くに位置されている。
【００４０】
図８に示すように、筐体１４の内面には、複数のリブ５３，５４，５５が設けられている。第１及び第２のリブ５３，５４は、サポート板金３１の仮固定用のリブである。サポート板金３１は、取付部３４の孔３４ａに溶着前の支持部４１が挿入されるとともに、第１及び第２のリブ５３，５４の間に配置され、仮固定される。そして、第１及び第２のリブ５３，５４によって支持された状態で機械にかけられ、支持部４１の先端部が押しつぶされる。その後、支持部４１がさらに加熱押圧されることで、サポート板金３１は筐体１４に溶着固定される。
【００４１】
サポート板金３１は、係合部２３に対応した位置に、ケーブル５１に向いて凸となる押圧部５７を有する。押圧部５７は、サポート板金３１を係合部２３から離れる向きに屈曲させることで設けられている。これにより、図９に示すように、カバー２１の縁とサポート板金３１との間の距離が係合部２３の周りで大きくなっており、マスク２２の係合部２２ａをカバー２１の係合部２３に係合させやすくなっている。
【００４２】
図９に示すように、第３のリブ５５は、サポート板金３１の押圧部５７と交互に設けられている。第３のリブ５５は、弾性部材５８を介して表示装置１５を支持する支持部の一例であるとともに、ケーブル５１を受ける受け部の一例である。第３のリブ５５は、ケーブル５１と表示装置１５との間に設けられている。
【００４３】
図１０に示すように、サポート板金３１の押圧部５７は、ケーブル５１に向いて突出し、ケーブル５１の一部が第３のリブ５５に押し付けられるようにケーブル５１の他の一部を押圧する。
【００４４】
詳しく述べると、ケーブル５１は、第３のリブ５５に対向した第１の部分５１ａと、第３のリブ５５から外れるとともに、サポート板金３１の押圧部５７に対向した第２の部分５１ｂとを有する。サポート板金３１の押圧部５７は、ケーブル５１の第１の部分５１ａが第３のリブ５５に押し付けられる向きに第２の部分５１ｂを押圧する。これにより、ケーブル５１が第３のリブ５５とサポート板金３１とに挟まれて、動きが規制される。換言すると、ケーブル５１は、サポート板金３１の押圧部５７によって押し曲げられ、例えばケーブル５１の一部が第３のリブ５５の縁部に引っ掛かる。これによりケーブル５１の動きが規制されている。
【００４５】
なお、図９に示されるような第４のリブ６０を設けてもよい。第４のリブ６０は、支持部４１の両側に分かれて一対設けられている。支持部４１は、先端部がつぶされてもある程度の高さを有する。筐体１４内には複数のケーブル５１が通されるが、この複数のケーブル５１が支持部４１の頂部の直上で重なると、比較的大きな厚さになる。
【００４６】
そのような場合には、複数のケーブル５１を第４のリブ６０の左右両側に分けて通すことで、複数のケーブル５１が支持部４１の頂部の直上で重なることを避けることができる。なお、第１乃至第４のリブ５３，５４，５５，６０は、適宜省略可能である。
【００４７】
このような構成によれば、薄型化に適した電子機器１が提供可能になる。
【００４８】
比較のため、サポート板金を筐体にねじ止めで固定することを考える。この場合、筐体には、ねじ穴を有するボスが設けられるが、ある程度の深さのねじ穴を確保するために、ボスはどうしても比較的背が高くなる。このようなボスが存在すると、筐体の薄型化が困難になる。
【００４９】
一方で、本実施形態では、筐体１４は、サポート板金３１を支持した壁部２４と、この壁部２４とは反対側からサポート板金３１を支持した支持部４１とを有する。すなわち、壁部２４と支持部４１とによってサポート板金３１の少なくとも一部が両面から支持され、これによりねじを用いることなくサポート板金３１が筐体１４に固定される。このため、ねじ止め用のボスが不用になり、筐体１４の薄型化を図ることができる。
【００５０】
さらに言えば、上記構成によれば、サポート板金３１の取付部３４を壁部２４に密着させることができる。このような壁部２４に密着した取付部３４によって筐体１４への固定が可能であると、筐体１４の薄い部分に対してもサポート板金３１を固定することができる。
【００５１】
さらに比較のため、図１９にサポート板金の取付構造の一例を示す。図１８の構造では、サポート板金１０１は、表示装置１０２の側面にねじ止めで固定されている。この構造では、（ａ）ねじ止めに十分な厚さが表示装置１０２に必要であり、表示装置１０２の薄型化に限界がある。さらに、（ｂ）マスク１０３をカバー１０４に取り付ける際に、カバー１０４の係合部１０５とマスク１０３の係合部１０７との間にケーブル１０６を挟み込む可能性がある。
【００５２】
詳しく述べると、カバー１０４の端部には、マスク１０３が係合するための係合部１０５が設けられている。図１９の構造では、サポート板金１０１が表示装置１０２に密着するため、ケーブル１０６は、サポート板金１０１と表示装置１０２との間に通すことができず、サポート板金１０１と係合部１０５との間を通ることになる。このため、ケーブル１０６が係合部１０５の近くに位置しやすく、カバー１０４とマスク１０３とを合わせる際に、カバー１０４の係合部１０５とマスク１０３の係合部１０７との間にケーブル１０６が挟み込まれてしまう可能性がある。
【００５３】
一方で、本実施形態では、図１３に示すように、サポート板金３１は、表示装置１５から離れ、表示装置１５と係合部２３との間の位置で筐体１４に固定されている。このため、（１）表示装置１５の側面にねじ穴が必要なくなり、表示装置１５の薄型化を図ることができる。さらに、（２）表示装置１５とサポート板金３１との間にケーブル５１を通すことができる隙間が生じるので、係合部２３からサポート板金３１よりも遠くにケーブル５１を位置させることができる。このため、ケーブル５１が係合部２３から遠く、さらにケーブル５１と係合部２３との間にサポート板金３１が存在するため、カバー２１とマスク２２とを合わせる際に、カバー２１の係合部２３とマスク２２の係合部２２ａとの間にケーブル５１が挟み込まれてしまうことが抑制される。
【００５４】
本実施形態では、サポート板金３１は、壁部２４と略平行に延びた取付部３４と、この取付部３４から壁部２４とは反対側に起立した起立部３３とを有する。支持部４１は、壁部２４からの高さが起立部３３よりも低い。すなわち支持部４１は、比較的小さく、壁部２４と支持部４１とによる固定構造の全てが壁部２４の近くに収まる。このため、支持部４１とマスク２２との間に、ケーブル５１などを収容可能な空間が生じている。これは筐体１４の薄型化や高密度実装に寄与する。
【００５５】
本実施形態では、ケーブル５１は、筐体１４の厚さ方向でサポート板金３１の取付部３４に重なる。ケーブル５１の少なくとも一部は、起立部３３の第２の端部３３ｂよりも、壁部２４に近い。つまり、ケーブル５１の少なくとも一部は、サポート板金３１の起立部３３の高さ範囲内に収まる。これによれば、筐体１４の薄型化をより図ることができる。
【００５６】
本実施形態では、サポート板金３１は、表示装置１５の側方を含む複数の固定部４５で固定されている。表示装置１５の側方にも固定部４５があると、筐体１４に対するサポート板金３１の固定がより強固になる。本実施形態のような固定構造であれば、ねじ止めに比べて手間が掛からないので、固定部４５の個数を容易に増やすことができる。さらに、固定部４５の数を増やすことができると、サポート板金３１自体の歪も減少させることができる。本実施形態では、支持部４１は、サポート板金３１に溶着固定されている。これによれば、複数の固定部４５を纏めて固定することができる。
【００５７】
本実施形態では、カバー２１は、ケーブル５１と表示装置１５との間に設けられた第３のリブ５５を備える。サポート板金３１は、ケーブル５１に向いて突出し、ケーブル５１が第３のリブ５５に押し付けられるようにケーブル５１を押圧する押圧部５７を有する。
【００５８】
これによれば、サポート板金３１によってケーブル５１が支持され、ケーブル５１を固定する構造を省略または小さくすることができる。そのため、筐体１４の薄型化や部品点数の削減を図ることができる。また、マスク２２とカバー２１との間にケーブル５１が挟まれる可能性がより小さくなる。
【００５９】
本実施形態では、押圧部５７は、係合部２３に対応して設けられ、サポート板金３１を係合部２３から離れる向きに屈曲させることで構成されている。これにより、カバー２１の縁とサポート板金３１との間の距離が係合部２３の周りで大きくなっている。このため、マスク２２の係合部２２ａをカバー２１の係合部２３に係合させやすくなっている。言い換えると、係合部２３に対応した位置でサポート板金３１の一部を屈曲させることで、筐体１４の幅を小さくすることができる。
【００６０】
本実施形態では、カバー２１の端部に曲面部４６が設けられている。サポート板金３１は、カバー２１の曲面部４６まで延び、壁部２４と支持部４１とによって曲面部４６に固定されている。壁部２４と支持部４１とによる固定構造を用いることで、曲面部４６のような筐体１４の厚さが薄いところでもサポート板金３１を筐体１４に固定することができる。これにより、サポート板金３１の長さを長くすることができ、筐体１４の強度をより向上させることができる。
【００６１】
次に、いくつかの変形例について説明する。  
図１４乃至１７は、サポート板金３１を固定する固定構造のいくつかの変形例を示す。なお上記実施形態の構成と同一または類似の機能を有する構成は、同一の符号を付してその説明を省略する。下記に説明する以外の構成は、上記第１の実施形態と同じである。
【００６２】
図１４乃至図１７に示す電子機器１は、それぞれ、ヒンジ部４ａに連結されたサポート板金３１と、サポート板金３１が収容された筐体１４とを有する。筐体１４は、サポート板金３１を支持した壁部２４と、この壁部２４から突出し、壁部２４とは反対側からサポート板金３１を支持した支持部４１とを有する。図１４乃至１７の支持部４１は、溶着固定されるものではない。サポート板金３１は、例えば壁部２４と支持部４１との間に嵌合されることで固定される。
【００６３】
これらの構造によれば、ねじを用いることなくサポート板金３１が筐体１４に固定される。このため、ねじ止め用のボスが不用になり、筐体１４の薄型化を図ることができる。
【００６４】
また別の観点では、一つの形態に係る電子機器は、壁部とこの壁部に設けられた突起部とを有した筐体と、筐体に取り付けられたヒンジ部と、ヒンジ部に連結されるとともに、筐体に固定される固定部を有した部材とを有する。前記固定部の少なくとも一部は、前記突起部の一部よりも前記壁部の近くに位置され、前記突起部に嵌合される。
【００６５】
上記電子機器の一例として、例えば図１４に示す固定構造は、壁部２４とこの壁部２４に設けられた突起部（支持部４１）とを有した筐体１４と、筐体１４に取り付けられたヒンジ部４ａと、ヒンジ部４ａに連結されるとともに、筐体１４に固定される固定部７１を有した部材（サポート板金３１）とを有する。固定部７１の少なくとも一部は、突起部（支持部４１）の一部よりも壁部２４の近くに位置され、突起部（支持部４１）に嵌合される。
【００６６】
より具体的には、固定部７１は、孔７１ａを有する。固定部７１は、例えば突起部（支持部４１）に押圧で嵌め込まれる。孔７１ａに突出部４２が挿入されることで固定部７１が突出部４２に嵌合固定されるのであれば、壁部２４とは反対側からサポート板金３１を支持する部分（例えば押さえ部４３）は必ずしも必要ない。
【００６７】
このような構造でも、ねじを用いることなくサポート板金３１が筐体１４に固定される。このため、ねじ止め用のボスが不用になり、筐体１４の薄型化を図ることができる。
【００６８】
図１８は、他の変形例を示す。図１８に示すように、サポート板金３１は、カバー２１の曲率が比較的大きな曲面部４６に固定されてもよい。サポート板金３１は、カバー２１の曲がり始める部分を越えて、カバー２１の端部の近くまで延びている。
【００６９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００７０】
例えば筐体は、曲面部を有しなくてもよい。板金の押圧部は、係合部に対応した位置に設けられる必要は必ずしもない。支持部は、溶着固定に限られない。板金は、モジュールの側方で固定されている必要は必ずしもない。ケーブルは、モジュールと板金との間に通されている必要は必ずしもない。ヒンジ部に連結される部材は、板金に限られず、他の材料で形成されたものでもよい。支持部や壁部は、カバーの一部に限られず、マスクやその他の部材に設けられてもよい。  
以下、いくつかの電子機器を付記する。  
[１]、(i)モジュールと、(ii)前記モジュールに対向した第１の部材と、この第１の部材とは反対側から前記モジュールに対向し、前記第１の部材に係合した係合部を有した第２の部材とを備えた筐体と、(iii)前記筐体に取り付けられたヒンジ部と、(iv)前記ヒンジ部に連結され、前記筐体内に設けられた板金と、(v)前記筐体内に設けられたケーブルと、を備え、前記第２の部材は、前記板金を支持した壁部と、この壁部から前記板金の少なくとも一部よりも大きく突出し、前記壁部とは反対側から前記板金を支持した支持部とを有し、前記板金は、前記壁部と前記支持部とによって両面から支持されることで、前記モジュールから離れ、前記モジュールと前記係合部との間の位置で前記筐体に固定され、前記ケーブルは、前記モジュールと前記板金との間に通され、前記係合部から前記板金よりも遠くに配置された電子機器。  
[２]、[１]の記載において、前記板金は、前記壁部と略平行に延びるとともに前記壁部と前記支持部とによって固定された取付部と、この取付部から前記壁部とは反対側に起立した起立部とを有し、前記支持部は、前記壁部からの高さが前記起立部よりも低い電子機器。  
[３]、[２]の記載において、前記ケーブルは、前記筐体の厚さ方向において、前記板金の取付部に重なり、前記起立部は、前記取付部に繋がる第１の端部と、この第１の端部とは反対側に位置された第２の端部とを有し、前記ケーブルの少なくとも一部は、前記起立部の第２の端部よりも、前記壁部に近い電子機器。  
[４]、[１]または[３]の記載において、前記板金は、前記モジュールの側方を含む複数の固定部で前記筐体に固定され、各固定部は、前記壁部と前記支持部で設けられた電子機器。  
[５]、[１]または[４]の記載において、前記支持部は、前記板金に溶着固定された電子機器。  
[６]、[１]または[５]の記載において、前記ケーブルと前記モジュールとの間に設けられた受け部を備え、前記板金は、前記ケーブルに向いて突出し、前記ケーブルが前記受け部に押し付けられるように前記ケーブルを押圧する押圧部を有した電子機器。  
[７]、[６]の記載において、前記押圧部は、前記係合部に対応した位置に設けられ、前記板金を前記係合部から離れる向きに屈曲させることで構成され、前記第２の部材の縁と前記板金との間の距離が前記係合部の周りで大きくなった電子機器。  
[８]、[１]または[７]の記載において、前記第２の部材は、その端部に曲面部を有し、前記板金は、前記曲面部まで延び、前記壁部と前記支持部とによって前記曲面部に固定された電子機器。  
[９]、(i)壁部と、この壁部に設けられた突起部とを有した筐体と、(ii)前記筐体に取り付けられたヒンジ部と、(iii)前記ヒンジ部に連結されるとともに、前記筐体に固定された固定部を有し、前記固定部の少なくとも一部が前記突起部の一部よりも前記壁部の近くに位置され、前記突起部に嵌合された部材と、を備えた電子機器。  
[１０]、(i)ヒンジ部と、(ii)前記ヒンジ部に連結された部材と、(iii)前記部材が収容されるとともに、前記部材を支持した壁部と、この壁部とは反対側から前記部材を支持した部分とを有した筐体と、を備えた電子機器。
【符号の説明】
【００７１】
１…電子機器、４ａ，４ｂ…ヒンジ部、１４…筐体、１５…表示装置（モジュール）、２１…カバー、２２…マスク、２３…係合部、２４…壁部、３１…サポート板金、３３…起立部、３３ａ…第１の端部、３３ｂ…第２の端部、３４…取付部、４１…支持部、４５…固定部、４６…曲面部、５１…ケーブル、５５…第３のリブ（受け部）、５７…押圧部、７１…固定部。
【図１】
2012168985.tif 000003
【図２】
2012168985.tif 000004
【図３】
2012168985.tif 000005
【図４】
2012168985.tif 000006
【図５】
2012168985.tif 000007
【図６】
2012168985.tif 000008
【図７】
2012168985.tif 000009
【図８】
2012168985.tif 000010
【図９】
2012168985.tif 000011
【図１０】
2012168985.tif 000012
【図１１】
2012168985.tif 000013
【図１２】
2012168985.tif 000014
【図１３】
2012168985.tif 000015
【図１４】
2012168985.tif 000016
【図１５】
2012168985.tif 000017
【図１６】
2012168985.tif 000018
【図１７】
2012168985.tif 000019
【図１８】
2012168985.tif 000020
【図１９】
2012168985.tif 000021